(57)【要約】【課題】  子守帯本体から横抱き用シートを吊り下げる場合のその横抱き用シートの揺れを抑えることが可能な子守帯を提供する。【解決手段】  使用者が装着する子守帯本体２と、幼児を横抱き姿勢で保持すべく子守帯本体２から吊り下げられる横抱き用シート３とを備えた子守帯１において、子守帯本体２には、横抱き用シート３を取り付けるための留め具として、横抱き用シートを吊り下げるための上部留め具１８ｂ、１９と、それらの上部留め具１８ｂ、１９よりも下方に位置する下部留め具１８ｂとを設ける。横抱き用シート３には、その横抱き用シート３を上部留め具１８ｂ、１９から吊り下げるための吊り下げ具３２、３５、３６、３７と、横抱き用シート３の幅方向一方の側縁に設けられて下部留め具２０ｂと連結可能な揺れ止め用留め具２０ａとを設ける。【選択図】      図１３
2005312772.tif 000002
【特許請求の範囲】
【請求項１】
使用者が装着する子守帯本体と、幼児を横抱き姿勢で保持すべく前記子守帯本体から吊り下げられる横抱き用シートとを備えた子守帯において、
前記子守帯本体には、前記横抱き用シートを取り付けるための留め具として、前記横抱き用シートを吊り下げるための上部留め具と、それらの上部留め具よりも下方に位置する下部留め具とが設けられ、前記横抱き用シートには、当該横抱き用シートを前記上部留め具から吊り下げるための吊り下げ具と、前記横抱き用シートの幅方向一方の側縁に設けられて前記下部留め具と連結可能な揺れ止め用留め具とが設けられていることを特徴とする子守帯。
【請求項２】
前記子守帯本体には使用者の肩回りに装着される一対の肩帯と、前記肩帯の下端に続いて使用者の腰回りにされる腰帯とが設けられ、前記上部留め具が前記一対の肩帯のそれぞれの途中に設けられ、前記下部留め具は前記肩帯の下端又は前記腰帯に設けられていることを特徴とする請求項１に記載の子守帯。
【請求項３】
前記下部留め具及び前記揺れ止め用留め具のそれぞれは、前記子守帯本体及び前記横抱き用シートに対して留め具固定ベルトを介して取り付けられ、前記留め具固定ベルトは前記下部留め具及び前記揺れ止め用留め具のそれぞれと隣接した位置にて前記子守帯本体及び前記横抱き用シートに縫い付けられていることを特徴とする請求項２に記載の子守帯。
【請求項４】
前記子守帯本体には、前記上部留め具が左右一対設けられ、前記横抱き用シートには、前記吊り下げ具として、当該横抱き用シートの頭部側を前記一対の上部留め具のうちいずれか一方の上部留め具から吊り下げるための頭部側吊り下げ具と、前記横抱き用シートの臀部側を他方の上部留め具から吊り下げるための臀部側吊り下げ具とが設けられていることを特徴とする請求項１に記載の子守帯。
【請求項５】
前記横抱き用シートの前記臀部支持側には幼児の腹部を覆う腹部パッドが設けられ、該腹部パッドの上端には幼児の胸部を覆う胸部パッドが続けて設けられ、前記横抱き用シートには、前記頭部側吊り下げ具と前記胸部パッドとを連結する胸部ベルトが設けられていることを特徴とする請求項４に記載の子守帯。
【請求項６】
前記上部留め具と前記下部留め具とは、大きさ又は連結に関わる構造のうち少なくともいずれか一方が互いに異なっていることを特徴とする請求項１に記載の子守帯。
【請求項７】
前記横抱き用シートの前記臀部側には幼児の腹部を覆う腹部パッドが設けられ、該腹部パッドの上端には幼児の胸部を覆う胸部パッドが続けて設けられていることを特徴とする請求項１に記載の子守帯。
【請求項８】
使用者が装着する子守帯本体と、幼児を保持すべく前記子守帯本体に連結されるアタッチメントとを備えた子守帯において、
前記子守帯本体には、前記アタッチメントを連結するための互いに用途が異なる複数種類の留め具が位置を変えて設けられ、前記複数種類の留め具のそれぞれは、大きさ又は連結に関わる構造のうち少なくともいずれか一方が互いに異なっていることを特徴とする子守帯。
【請求項９】
使用者が装着する子守帯本体と、幼児を横抱き姿勢で保持すべく前記子守帯本体から吊り下げられる横抱き用シートとを備えた子守帯において、
前記横抱き用シートの前記臀部側には幼児の腹部を覆う腹部パッドが設けられ、該腹部パッドの上端には幼児の胸部を覆う胸部パッドが続けて設けられていることを特徴とする子守帯。
【発明の詳細な説明】
【技術分野】
【０００１】
本発明は、子守帯本体に横抱き用シート等のアタッチメントを装着して幼児を所望の姿勢で保持する子守帯に関する。
【背景技術】
【０００２】
使用者が装着する子守帯本体から横抱き用シートを吊り下げ、その横抱き用シートに幼児を収容して該幼児を横向きに寝かせた状態で支持できるようにした子守帯が知られている（特許文献１参照）。
【特許文献１】特開２００２−２８２０９７号公報
【発明の開示】
【発明が解決しようとする課題】
【０００３】
従来の子守帯は、横抱き用シートを上方で吊っているので、その吊り下げ支持点を中心として横抱き用シートが揺れ易く、使用者が横抱き用シートに手を添えてその揺れを抑える必要が生じることがある。また、縦抱き用シート等の他のアタッチメントを取り付ける必要から子守帯本体に複数の留め具が設けられる場合、それらに横抱き用シートを取り付ける際に適切な留め具を判別し難いことがある。さらに、従来の子守帯では横抱き用シートに寝かされた幼児の腹部をパッドで覆っているがその胸部は露出している。
【０００４】
そこで、本発明は、子守帯本体から横抱き用シートを吊り下げる場合のその横抱き用シートの揺れを抑えることが可能な子守帯を提供することを目的とする。さらには、子守帯本体に複数の留め具が設けられる場合において適切な留め具を容易に判別できる子守帯、横抱き姿勢で保持された幼児の胸部も覆うことができる子守帯を提供することも目的とする。なお、本発明において、幼児の用語は新生児、乳児も含む概念で使用されるものである。
【課題を解決するための手段】
【０００５】
本発明は、使用者が装着する子守帯本体（２）と、幼児を横抱き姿勢で保持すべく前記子守帯本体から吊り下げられる横抱き用シート（３）とを備えた子守帯（１）において、前記子守帯本体には、前記横抱き用シートを取り付けるための留め具として、前記横抱き用シートを吊り下げるための上部留め具（１８ｂ、１９）と、それらの上部留め具よりも下方に位置する下部留め具（２０ｂ）とが設けられ、前記横抱き用シートには、当該横抱き用シートを前記上部留め具から吊り下げるための吊り下げ具（３２、３５、３６、３７）と、前記横抱き用シートの幅方向一方の側縁に設けられて前記下部留め具と連結可能な揺れ止め用留め具（２０ａ）とが設けられることにより、上述した課題を解決する。
【０００６】
この発明の子守帯によれば、子守帯本体の下部留め具と横抱き用シートの揺れ止め用留め具とを相互に連結することにより、上部留め具と吊り下げ具との連結位置よりも下方で横抱き用シートを子守帯本体に拘束することができる。これにより、横抱き用シートの吊り下げ支持点を中心とした揺れを抑え、使用者の負担を軽減することができる。
【０００７】
本発明の子守帯においては、前記子守帯本体には使用者の肩回りに装着される一対の肩帯（１１）と、前記肩帯の下端に続いて使用者の腰回りにされる腰帯（１２）とが設けられ、前記上部留め具が前記一対の肩帯のそれぞれの途中に設けられ、前記下部留め具は前記肩帯の下端又は前記腰帯に設けられてもよい。この態様によれば、下部留め具を上部留め具に対して下方に最大限に離して揺れ止め用留め具による揺れ止め作用をより効果的に発揮させることができる。なお、肩帯の下端又は腰帯には、両者の境界も含まれる。
【０００８】
さらに、前記下部留め具及び前記揺れ止め用留め具のそれぞれは、前記子守帯本体及び前記横抱き用シートに対して留め具固定ベルトを介して取り付けられ、前記留め具固定ベルトは前記下部留め具及び前記揺れ止め用留め具のそれぞれと隣接した位置にて前記子守帯本体及び前記横抱き用シートに縫い付けられてもよい。この態様によれば、下部留め具の子守帯本体からの浮き上がりや揺れ止め用留め具それ自身の横抱き用シートに対する振れを抑えて揺れ止め用留め具による揺れ止め作用をさらに効果的に発揮させることができる。
【０００９】
本発明の子守帯において、前記子守帯本体には、前記上部留め具が左右一対設けられ、前記横抱き用シートには、前記吊り下げ具として、当該横抱き用シートの頭部側を前記一対の上部留め具のうちいずれか一方の上部留め具から吊り下げるための頭部側吊り下げ具（３２）と、前記横抱き用シートの臀部側を他方の上部留め具から吊り下げるための臀部側吊り下げ具（３５、３６、３７）とが設けられてもよい。この態様によれば、横抱き用シートの吊り下げ具に加わる荷重を使用者の両肩に分散させつつ下部留め具と揺れ止め用留め具によって横抱き用シートの揺れを抑えることができるので、使用者の負担がさらに軽減される。
【００１０】
さらに、上記態様においては、前記横抱き用シートの前記臀部支持側には幼児の腹部を覆う腹部パッド（３５）が設けられ、該腹部パッドの上端には幼児の胸部を覆う胸部パッド（５０）が続けて設けられ、前記横抱き用シートには、前記頭部側吊り下げ具と前記胸部パッドとを連結する胸部ベルト（４３）が設けられてもよい。この態様によれば、腹部パッド及び胸部パッドにて幼児の腹部から胸部にかけての範囲を覆ってその保護を図ることができる。胸部パッドを頭部側吊り下げ具と連結することにより、胸部の垂れ下がりを防止して胸部パッドの追加による幼児の不快感の増加を抑えることができる。
【００１１】
本発明の子守帯において、前記上部留め具と前記下部留め具とは、大きさ又は連結に関わる構造のうち少なくともいずれか一方が互いに異なっていてもよい。このように留め具を区分すれば、横抱き用シートを子守帯本体に装着する際に不適当な留め具に吊り下げ具や揺れ止め用留め具を連結することが不可能となり、適切な留め具を容易かつ確実に判別できるようになる。
【００１２】
本発明の子守帯において、前記横抱き用シートの前記臀部側には幼児の腹部を覆う腹部パッド（３５）が設けられ、該腹部パッドの上端には幼児の胸部を覆う胸部パッド（５０）が続けて設けられてもよい。これにより、幼児の腹部から胸部を覆ってその保護を図ることができる。
【００１３】
本発明の他の子守帯は、使用者が装着する子守帯本体（２）と、幼児を保持すべく前記子守帯本体に連結されるアタッチメント（３；６０）とを備えた子守帯（１）において、前記子守帯本体には、前記アタッチメントを連結するための互いに用途が異なる複数種類の留め具（１８ｂ、１９、２０ｂ）が位置を変えて設けられ、前記複数種類の留め具のそれぞれは、大きさ又は連結に関わる構造のうち少なくともいずれか一方が互いに異なっていることにより、上述した課題を解決する。この発明の子守帯によれば、用途が異なる複数種類の留め具の大きさ又は連結に関わる構成が互いに異なるので、用途に応じた適切な留め具を容易に判別できるようになる。
【００１４】
本発明のさらに他の子守帯は、使用者が装着する子守帯本体（２）と、幼児を横抱き姿勢で保持すべく前記子守帯本体から吊り下げられる横抱き用シート（３）とを備えた子守帯（１）において、前記横抱き用シートの前記臀部側には幼児の腹部を覆う腹部パッド（３５）が設けられ、該腹部パッドの上端には幼児の胸部を覆う胸部パッド（５０）が続けて設けられることにより、上述した課題を解決する。この発明の子守帯によれば、腹部パッド及び胸部パッドにて幼児の腹部から胸部にかけての範囲を覆ってその保護を図ることができる。
【００１５】
なお、以上の説明では本発明の理解を容易にするために添付図面の参照符号を括弧書きにて付記したが、それにより本発明が図示の形態に限定されるものではない。
【発明の効果】
【００１６】
以上に説明したように、本発明の子守帯によれば、上部留め具と吊り下げ具との連結位置よりも下方で横抱き用シートを子守帯本体に拘束して横抱き用シートの吊り下げ支持点を中心とした揺れを抑え、それにより使用者の負担を軽減することができる。また、用途が互いに異なる複数種類の留め具のそれぞれについて、大きさ又は連結に関わる構造のうち少なくともいずれか一方が互いに異なるようにした子守帯によれば、用途に応じた適切な留め具を容易に判別できるようになる。さらに、横抱き用シートの臀部側には腹部パッドを設け、これに続いて胸部パッドを設けた子守帯によれば、幼児の腹部から胸部にかけての範囲を覆ってその保護を図ることができる。
【発明を実施するための最良の形態】
【００１７】
以下、本発明が適用された子守帯の好適な一形態について説明する。図１及び図２は本発明の一形態に係る子守帯を示している。子守帯１は使用者（一例として親）が装着する子守帯本体２と、その子守帯本体２に装着される横抱き用シート３とを備えている。以下、これらを順に説明する。なお、子守帯本体２には、横抱き用シート３に代えて、図１４及び図１５に示す縦抱き用シートを装着することもできるが、この点は後述する。
【００１８】
［子守帯本体について］
図３は子守帯本体２を背面側から展開した様子を示し、図４は子守帯本体２の使用者への装着時の様子（但し、使用者は図示略）を示す。これらの図に示すように、子守帯本体２は、使用者の肩回りに装着される一対の肩帯１１と、使用者の腰回りに装着される腰帯１２とを備えている。腰帯１２は使用者の腰部の背面側に当てられるパッド１３と、そのパッド１３の両側と長さ調整用のラダー１４を介して連結される一対のサイドベルト１５とを有している。肩帯１１の先端（下端に相当）１１ａはサイドベルト１５の先端に連続している。なお、各肩帯１１と各サイドベルト１５とは一本の連続した帯材にて構成されており、その帯材が肩帯１１の先端１１ａにてほぼ９０°に折り返されて肩帯１１とサイドベルト１５とが形成されている。肩帯１１の後端１１ｂはパッド１３に縫い合わされている。肩帯１１の開きを防止するため、肩帯１１は背面側において連絡ベルト１６により相互に連結されている。また、一方の肩帯１１の前面側にも一対のオスバックル１７ａ及びメスバックル１７ｂによって連結及び分離が可能な連絡ベルト１７が設けられている。但し、連絡ベルト１７は本発明の子守帯において必須ではない。
【００１９】
肩帯１１には、横抱き用シート３等のアタッチメントを装着するための留め具として、上部メスバックル１８ｂ、リング１９及び下部メスバックル２０ｂがそれぞれ取り付けられている。肩帯１１の途中には留め具固定ベルト２１、２２が縫い付けられ、それらのベルト２１、２２の先端に上部メスバックル１８ｂ及びリング１９がそれぞれ取り付けられている。さらに、上部メスバックル１８ｂは筒状のカバー２３（図４では想像線で示す。）にて覆われている。カバー２３の上端は留め具固定ベルト２１とともに肩帯１１に一体に縫い付けられている。カバー２３の下端は開口しており、その開口部分から上部メスバックル１８ｂにオスバックル１８ａ（図６参照）を差し込むことができる。
【００２０】
図５に詳しく示したように、肩帯１１の先端１１ａ、つまり肩帯１１及びサイドベルト１５の境界となる折り返し部分２４にも留め具固定ベルト２５が縫い付けられ、その留め具固定ベルト２５の先端に下部メスバックル２０ｂが取り付けられている。下部メスバックル２０ｂの肩帯１１等からの浮き上がりを最小限に抑えるため、留め具固定ベルト２５は下部メスバックル２０ｂの基部（ここではベルト通し部２０ｃ）に隣接した位置で肩帯１１の折り返し部分２４に縫い付けられている。すなわち、留め具固定ベルト２５の先端側のステッチライン２６は下部メスバックル２０ｂに隣接して設けられている。なお、留め具固定ベルト２５の縫製は、肩帯１１の先端１１ａとサイドベルト１５との間の折り返し部分２４の縫い合わせも兼ねるように肩帯１１の裏面側まで一体的に実施される。
【００２１】
子守帯本体２にアタッチメントを取り付ける際の留め具の判別を容易に行えるようにするため、子守帯本体２の留め具は互いに大きさ又は連結に関わる構造が異なっている。すなわち、上部メスバックル１８ｂ及び下部メスバックル２０ｂと区別するために中間の留め具はリング１９とされている。また、上部メスバックル１８ｂと下部メスバックル２０ｂとは大きさが互いに異なっており、下部メスバックル２０ｂは上部メスバックル１８ｂよりも小さい。また、上部メスバックル１８ｂと下部メスバックル２０ｂとは相手部品としてのオスバックル１８ａ、２０ａとの連結に関わる構造も互いに異なっている。すなわち、下部メスバックル２０ｂはオスバックル２０ａ（図１３参照）との連結を解除するための一対の操作部２０ｄを備えているのに対して、上部メスバックル１８ｂはそのような操作部を有しない。上部メスバックル１８ｂとオスバックル１８ａとの連結を解除するための操作部はオスバックル１８ａに設けられている。連絡ベルト１７のメスバックル１７ｂもそのような操作部を有しないタイプであるが、上部メスバックル１８ｂよりも小型のものがメスバックル１７ｂとして使用されることにより、メスバックル１７ｂと上部メスバックル１８ｂとが確実に判別できるよう配慮されている。なお、一対の上部メスバックル１８ｂ同士は用途が同一であるために同一のものでよい。一対のリング１９同士、一対のメスバックル２０ｂ同士に関しても同様である。
【００２２】
［横抱き用シートについて］
次に、横抱き用シート３の詳細を説明する。図６は横抱き用シート３の平面図、図７は横抱き用シート３の展開図である。これらの図に示すように、横抱き用シート３はシート本体３１と、そのシート本体３１に対して着脱可能なハンギングボード３２（図８参照）とを備えている。シート本体３１は、幼児を寝かせるためのマット３３と、そのマット３３の頭部支持部３３ａの周囲を取り囲むように設けられたヘッドガード３４と、マット３３の臀部支持部３３ｂを覆うように設けられた腹部パッド３５と、臀部支持部３３ｂの両側から延ばされて腹部パッド３５と組み合わされる腹部ベルト３６と、マット３３の脚支持部３３ｃから延ばされた臀部ベルト３７とを備えている。なお、臀部ベルト３７は主としてマット３３に加えられる幼児の臀部側の荷重を支持するものであるが、幼児の股間に通されることから股ベルトと呼ばれることもある。
【００２３】
マット３３の内部にはマット３３の形状を維持するための樹脂製の芯材（不図示）が設けられている。その芯材は、頭部支持部３３ａから臀部支持部３３ｂにかけての範囲と、脚支持部３３ｃとに分けて設けられており、それにより脚支持部３３ｃは境界線３８（図７参照）の位置にて臀部支持部３３ｂに対して折り曲げ可能である。
【００２４】
図８に示すように、ハンギングボード３２は帯状のマット受け部３２ａと、そのマット受け部３２ａの両端から同一方向に突出する一対のアーム部３２ｂ、３２ｃとを備えている。図７に破線で示したように、マット受け部３２ａはマット３３の内部を芯材よりも下側に通されて芯材に加わる荷重を下から支える機能を果たす。アーム部３２ｂ、３２ｃはそれぞれマット３３の両側から上方に突出する。図８に詳しく示したように、一方のアーム部３２ｂの先端には吊り下げベルト４０の基部４０ａが取り付けられている。その吊り下げベルト４０の途中にはオスバックル１８ａが取り付けられている。オスバックル１８ａは上述した子守帯本体２の上部メスバックル１８ｂに連結されるものであり、その一対の爪部１８ｃには連結解除用の操作部１８ｄが設けられている（図６参照）。なお、基部４０ａからオスバックル１８ａまでの長さは調整可能である。
【００２５】
反対側のアーム部３２ｃの先端には連結ベルト４１を介してフック４２が取り付けられている。フック４２は上述したリング１９に対して連結可能である。なお、連結ベルト４１の長さは調整不能である。さらに、図８から明らかなように、アーム部３２ｂ、３２ｃのそれぞれの先端には連絡ベルト４３ａ、４３ｂが取り付けられている。これらの連絡ベルト４３ａ、４３ｂにはそれぞれオスバックル４４ａ及びメスバックル４４ｂが取り付けられている。図６に示すように、ハンギングボード３２をマット３３に取り付けてバックル４４ａ、４４ｂを相互に連結することにより、横抱き用シート３を幅方向に横断する一本の胸部ベルト４３がマット３３の上方に構成される。なお、アーム部３２ｃの先端からオスバックル４４ａまでの長さは調整可能である。
【００２６】
図７に示すように、腹部パッド３５はその基部４６ａが脚支持部３３ｃの後端中央と連結される股押え部４６と、その股押え部４６に続いて横抱き用シート３の幅方向両側に広がる腹押え部４７とを有している。腹押え部４７の先端にはさらに胸部パッド５０が続けて設けられている。これら腹部パッド３５及び胸部パッド５０は股押え部４６の基部４６ａと脚支持部３３ｃとの連結位置を軸として一体的に折り曲げ可能である。両パッド３５、５０はマット３３上に重ねられた状態から、最大でほぼ１８０°近く折り返すことができる。さらに、図９に示すように胸部パッド５０は腹部パッド３５に対して折り曲げ可能である。
【００２７】
図１０に詳しく示すように、腹部パッド３５の表側には腹部ベルト３６を通すためのベルト通し５２及びリング５３が設けられている。図６及び図７にも示したように、マット３３の臀部支持部３３ｂの両側には一対の連結ベルト３６ａ、３６ｂが取り付けられている。これらの連絡ベルト３６ａ、３６ｂにはそれぞれオスバックル５４ａ、メスバックル５４ｂが取り付けられており、それらのバックル５４ａ、５４ｂを相互に連結することにより一本の腹部ベルト３６が形成される。一方の連結ベルト３６ａは腹部パッド３５の全幅よりも十分に長く設けられている。横抱き用シート３の使用時には、図１０に示すように、オスバックル５４ａを先頭にして連結ベルト３６ａがベルト通し５２に通された上で、そのオスバックル５４ａがメスバックル５４ｂと連結されることにより、腹部パッド３５の腹押え部４７と腹部ベルト３６とが相互に連結される。なお、連結ベルト３６ａとマット３３との連結位置からオスバックル５４ａまでの長さは調整可能である。
【００２８】
図６に示すように、臀部ベルト３７は腹部パッド３５の股押え部４６の表面に沿って配置され、その基部３７ａは股押え部４６と同様にマット３３の脚支持部３３ｃの後端中央に連結されている。臀部ベルト３７はリング５３に通されており、そのリング５３のさらに先にオスバックル１８ａが取り付けられている。オスバックル１８ａは、上述したハンギングボード３２に設けられるオスバックル１８ａと同様に肩帯１１側の上部メスバックル１８ｂと連結されるものである。図１０に示すように、リング５３はリング固定ベルト５５を介して腹部パッド３５の腹押え部４７の表面に固定されている。リング固定ベルト５５はベルト通し５２に覆われる位置に配置されており、ベルト通し５２の一端側からベルト通し５２内に挿入された連絡ベルト３６ａはそのリング固定ベルト５５の上方を通過してベルト通し５２の反対側に引き出される。このため、臀部ベルト３７を子守帯本体２の上部バックル１８ｂから吊り上げたときに腹部ベルト３６も一緒に持ち上げられるようになる。その結果、臀部ベルト３７に作用する吊り下げ反力が腹部ベルト３６と臀部支持部３３ｂとの連結位置及び臀部ベルト３７と脚支持部３３ｃとの連結位置の三点に分散される。これにより、マット３３の臀部側をいわゆる三点で吊り下げ支持でき、高い安定性を得ることができる。
【００２９】
図６に示すように、胸部パッド５０はマット３３側へ折り返したときにハンギングボード３２の取付位置まで達するように設けられている。図１１及び図１２に詳しく示したように、胸部パッド５０の先端部５０ａの両側には胸部ベルト４３の連絡ベルト４３ａ、４３ｂをそれぞれ通すためのベルト通し５０ｂ、５０ｃが設けられている。これらのベルト通し５０ｂ、５０ｃに連絡ベルト４３ａ、４３ｂを通してバックル４４ａ、４４ｂを連結することにより、胸部パッド５０の先端部５０ａを胸部ベルト４３にて吊り下げ支持して胸部パッド５０のマット３３への垂れ下がりを防止し、それらの間に適度な空間を確保することができる。
【００３０】
図１３に示すように、マット３３の幅方向一方の側縁（図６において上側の側縁）には留め具固定ベルト５６を介して一対のオスバックル２０ａが設けられている。これらのオスバックル２０ａは子守帯本体２に設けられた下部メスバックル２０ｂに連結されるものである。留め具固定ベルト５６はマット３３の裏面側にほぼ全長に亘って縫い付けられており、その先端にオスバックル２０ａが取り付けられている。マット３３に対するオスバックル２０ａの振れを最小限に抑えるため、留め具固定ベルト５６もオスバックル２０ａの直ぐ隣でマット３３に縫い付けられている。
【００３１】
［横抱き用シートの使用方法］
次に、横抱き用シート３の使用方法を説明する。横抱き用シート３を使用する場合にはまず図７に示すようにマット３３にハンギングボード３２を取り付けるとともに、腹部パッド３５及び胸部パッド５０を開く。この状態でマット３３に幼児を載せ、腹部パッド３５をマット３３側に戻してパッド３５、５０で幼児を覆う。次に、ベルト通し５２に連絡ベルト３６ａ、３６ｂを通してバックル５４ａ、５４ｂを相互に連結することにより、腹部ベルト３６と腹部パッド３５とを相互に組み合わせる。この際、オスバックル５４ａの位置を調整することにより腹部ベルト３６の長さを幼児の下腹部回りの大きさに合わせることができる。また、胸部パッド５０のベルト通し５０ｂ、５０ｃに連絡ベルト４３ａ、４３ｂを通し、バックル４４ａ、４４ｂを相互に連結することにより、胸部ベルト４３と胸部パッド５０とを相互に組み合わせる。この際、オスバックル４４ａの位置を調整することにより胸部ベルト４３の長さを幼児の胸回りの大きさに合わせることができる。
【００３２】
マット３３に寝かせた幼児を上記の手順で腹部パッド３５及び胸部パッド５０で覆った後、横抱き用シート３を次のようにして子守帯本体２に連結する。すなわち、図２に示すように、ハンギングボード３２に取り付けられたオスバックル１８ａを子守帯本体２の左肩側（図４において右側）の肩帯１１の上部メスバックル１８ｂと連結し、同じ側のリング１９にフック４２を連結する。また、臀部ベルト３７に取り付けられたオスバックル１８ａを反対側、すなわち右側用の肩帯１１の上部メスバックル１８ｂに連結する。さらに、図１３に示すようにオスバックル２０ａを下部メスバックル２０ｂにそれぞれ連結する。これにより、図１及び図２に示すように横抱き用シート３を子守帯本体２に装着して幼児を横抱き姿勢で保持することができる。
【００３３】
以上に説明したように、本形態の子守帯１によれば、上部メスバックル１８ｂとオスバックル１８ａとの連結位置やリング１９とフック４２との連結位置から横抱き用シート３を吊り下げる構成であっても、子守帯本体２の下部に設けられた下部メスバックル２０ｂと横抱き用シート３の側縁に配置されたオスバックル２０ａとを連結することにより、上部メスバックル１８ｂやリング１９による吊り下げ支持点を中心とした横抱き用シート３の揺れを抑えることができる。従って、使用者が前屈みになったり、右又は左に身を捻るような動作をしても横抱き用シート３が子守帯本体２に対して離れず、使用者が横抱き用シート３の揺れを止めるべくこれに手を添える必要がない。そのため使用者の負担が軽減され、かつ使用者の両手が自由になるので子守帯１の使い勝手が向上する。
【００３４】
また、子守帯本体２に設けられたアタッチメント用留め具としての上部メスバックル１８ｂ、リング１９、及び下部メスバックル２０ｂの大きさ又は連結に関わる構造が互いに異なっているために横抱き用シート３を装着する際に適切な留め具を容易に判別できる。さらに、胸部パッド５０によって幼児の胸部を覆うようにしたので、横抱き用シート３に支持された幼児をより確実に保護することができる。
【００３５】
［縦抱き用シートについて］
次に、幼児を縦抱き状態で保持する際に使用される縦抱き用シートの一例を説明する。図１４は子守帯１にて使用される縦抱き用シートの正面図、図１５はその縦抱き用シートの裏面図である。これらの図に示すように、縦抱き用シート６０は、幼児の股間に通される底部６２と、その底部６２の上方に連続する胴覆い部６３と、その胴覆い部６３の上方に連続する中間支持部６４と、その中間支持部６４の上方に連続するヘッドキープ６５とを備えている。
【００３６】
底部６２は幼児の臀部が載せられる部分であり、その両側には幼児の足を出すための足抜き部６６が設けられている。胴覆い部６３は幼児の胴部回りに巻き回せるように二つ折り状に形成されており、その両端に設けられたホック６３ａ、６３ｂを相互に連結することにより筒状に組み立てられる。なお、ホック６３ａ、６３ｂはそれぞれ上下一対設けられるが、図１５では上側のホック６３ａと下側のホック６３ｂのみが示されている。胴覆い部６３の周囲には胴ベルト６７が設けられている。その胴ベルト６７の先端のオスバックル６８ａ及びメスバックル６８ｂ（図１６参照）を相互に連結することにより胴ベルト６７が一本のループ状に繋がって胴覆い部６３が取り囲まれる。
【００３７】
また、胴覆い部６３には上下方向に延びる臀部ベルト６９が取り付けられている。その臀部ベルト６９は底部６２を経由して胴覆い部６３の表裏に渡され、その両端が胴覆い部６３に縫い付けられている。縦抱き用シート６０の裏面側において臀部ベルト６９は胴ベルト６７との交差部７０にて胴ベルト６７とともに胴覆い部６３に一体的に縫い付けられている。一方、縦抱き用シート６０の表面側において臀部ベルト６９は胴ベルト６７に縫い付けられているが、その縫い付け箇所はポケット７１に隠れて見えていない。臀部ベルト６９の途中には長さ調整用のラダー７２が設けられている。ラダー７２を利用して臀部ベルト６９の長さを調整することにより底部６２の深さを幼児の体格に応じて変化させることができる。
【００３８】
さらに、底部６２の裏面側（図１５）には子守帯本体２の下部メスバックル２０ｂと連結可能な一対のオスバックル２０ａが留め具固定ベルト７３を介して取り付けられている。また、胴ベルト６７には子守帯本体２のリング１９と連結可能な一対のフック４２が留め具固定ベルト７３を介して取り付けられている。ヘッドキープ６５にはサポートベルト７４が挿通されている。サポートベルト７４の両端には子守帯本体２の上部メスバックル１８ｂと連結可能なオスバックル１８ａが留め具固定ベルト７５を介して取り付けられている。
【００３９】
以上のような縦抱き用シート６０は次のようにして使用される。まず、幼児を後向き又は前向き状態で底部６２に載せて両足を足抜き部６６に通し、その幼児の胴回りを胴覆い部６３で包んでホック６３ａ、６３ｂを相互に連結する。次に、バックル６８ａ、６８ｂを相互に連結して胴ベルト６７を繋ぎ合わせ、胴覆い部６３の幼児を適度に拘束する。この際、幼児の体格に合わせて胴ベルト６７のオスバックル６８ａの位置を調整する。なお、幼児を後向き（幼児が使用者と対面する向き）に載せた場合、中間支持部６４は幼児の背当て部として機能し、幼児を前向きに載せた場合、中間支持部６４は幼児の胸当て部として機能する。
【００４０】
以上の手順によって幼児を縦抱き用シート６０に載せた後、次のようにして縦抱き用シート６０を子守帯本体２に装着する。横抱き用シート３を次のようにして子守帯本体２に連結する。すなわち、ハンギングボード３２に取り付けられたオスバックル１８ａを子守帯本体２の各肩帯１１の上部メスバックル１８ｂと連結し、フック４２を肩帯１１のリング１９に連結する。また、底部６２のオスバックル２０ａは子守帯本体２の下部メスバックル２０ｂと連結する。これにより、図１６に示すように縦抱き用シート６０を子守帯本体２に取り付けて幼児を縦抱き姿勢で保持することができる。なお、縦抱き用シート６０に幼児を取り込む前にオスバックル２０ａを子守帯本体２の下部メスバックル２０ｂと連結してもよい。
【００４１】
以上のように、縦抱き用シート６０を子守帯本体２に取り付ける場合でも、子守帯本体２に設けられたアタッチメント用留め具としての上部メスバックル１８ｂ、リング１９、及び下部メスバックル２０ｂの大きさ又は構造が互いに異なっているために適切な留め具を容易に判別することができる。なお、上記で示した縦抱き用シートは一例であり、縦抱き用シートには種々の構成のものを使用してよい。
【００４２】
以上の実施形態においては、上部メスバックル１８ｂ及びリング１９が上部留め具に、下部メスバックル２０ｂが下部留め具にそれぞれ相当する。また、ハンギングボード３２（但し、その付属品としての吊り下げベルト４０、オスバックル１８ａ、連結ベルト４１及びフック４２を含む。）が頭部側吊り下げ具に、腹部パッド３５（但し、その付属品としてのベルト通し５２、リング５３及びリング固定ベルト５５を含む。）、腹部ベルト３６（バックル５４ａ、５４ｂを含む。）、及び臀部ベルト３７（オスバックル１８ａを含む。）が臀部側吊り下げ具にそれぞれ相当し、これらの組み合わせが吊り下げ具に相当する。
【００４３】
本発明は上記の形態に限定されることなく種々の形態にて実施してよい。例えばバックル１８ａ、１８ｂの雌雄関係、及びバックル２０ａ、２０ｂの雌雄関係は上記の形態に対して反対でもよい。つまり、子守帯本体２にオスバックル１８ａ、２０ａを装着し、メスバックル１８ｂ、２０ｂを横抱き用シート３、縦抱き用シート６０に設けてもよい。下部メスバックル２０ｂ及びこれと組み合わされるオスバックル２０ａは一つずつ設けられてもよい。横抱き用シートの両側に揺れ止め用留め具を設けてもよい。子守帯を横抱き専用として構成してもよい。
【００４４】
子守帯本体の留め具の大きさや構造を互いに異なるものとする技術思想については、下部留め具と揺れ止め用留め具とを設ける子守帯に限らず、使用者に装着される子守帯本体と、横抱き用シートや縦抱き用シートといったアタッチメントとを組み合わせて使用する各種の子守帯に適用可能である。また、腹部パッドに連続して胸部パッドを設ける技術思想についても、下部留め具と揺れ止め用留め具とを設ける子守帯に限らず、使用者に装着される子守帯本体と、横抱き用シートとを組み合わせて使用する各種の子守帯に適用可能である。
【図面の簡単な説明】
【００４５】
【図１】本発明の一形態に係る子守帯の正面図。
【図２】本発明の一形態に係る子守帯の臀部側からの斜視図。
【図３】子守帯本体を背面側から展開した様子を示す図。
【図４】子守帯本体の使用者への装着時の様子を示す図。
【図５】下部メスバックルの取付部分の拡大図。
【図６】横抱き用シートの平面図。
【図７】横抱き用シートの展開図。
【図８】ハンギングボードの斜視図。
【図９】横抱き用シートの斜視図。
【図１０】横抱き用シートの臀部側の拡大図。
【図１１】胸部パッドとハンギングボードとの連結部分の拡大図。
【図１２】胸部パッドとハンギングボードとの連結部分を別の方向から見た拡大図。
【図１３】横抱き用シートの揺れ止め用オスバックルと子守帯本体の下部メスバックルとの連結部分の拡大図。
【図１４】子守帯にて使用される縦抱き用シートの正面図。
【図１５】縦抱き用シートの裏面図。
【図１６】縦抱き用シートを子守帯本体に装着した様子を示す図。
【符号の説明】
【００４６】
１  子守帯
２  子守帯本体
３  横抱き用シート
１１  肩帯
１２  腰帯
１３  パッド
１８ａ  オスバックル
１８ｂ  上部メスバックル（上部留め具）
１９  リング（上部留め具）
２０ａ  オスバックル（揺れ止め用留め具）
２０ｂ  下部メスバックル（下部留め具）
２５  留め具固定ベルト
３１  シート本体
３２  ハンギングボード（頭部側吊り下げ具）
３３  マット
３３ａ  頭部支持部
３３ｂ  臀部支持部
３３ｃ  脚支持部
３４  ヘッドガード
３５  腹部パッド（臀部側吊り下げ具）
３６  腹部ベルト（臀部側吊り下げ具）
３７  臀部ベルト（臀部側吊り下げ具）
４０  吊り下げベルト（頭部側吊り下げ具）
４１  連結ベルト（頭部側吊り下げ具）
４２  フック（頭部側吊り下げ具）
４３  胸部ベルト
５０  胸部パッド
５０ｂ、５０ｃ  ベルト通し
５２  ベルト通し（臀部側吊り下げ具）
５３  リング（臀部側吊り下げ具）
５４ａ  オスバックル（臀部側吊り下げ具）
５４ｂ  メスバックル（臀部側吊り下げ具）
５５  留め具固定ベルト（臀部側吊り下げ具）
５６  揺れ止め用留め具に対する留め具固定ベルト
６０  縦抱き用シート
【図１】
2005312772.tif 000003
【図２】
2005312772.tif 000004
【図３】
2005312772.tif 000005
【図４】
2005312772.tif 000006
【図５】
2005312772.tif 000007
【図６】
2005312772.tif 000008
【図７】
2005312772.tif 000009
【図８】
2005312772.tif 000010
【図９】
2005312772.tif 000011
【図１０】
2005312772.tif 000012
【図１１】
2005312772.tif 000013
【図１２】
2005312772.tif 000014
【図１３】
2005312772.tif 000015
【図１４】
2005312772.tif 000016
【図１５】
2005312772.tif 000017
【図１６】
2005312772.tif 000018